(57)【特許請求の範囲】
【請求項１】
内部を陳列空間と成して前面を開口させた本体と、前記本体の開口面を覆う透明板とを有しており、
前記本体の下部に、前記透明板を本体の開口面に沿って左右動可能に支持する横移動ガイド手段と、前記透明板の手前側からハンドルで駆動軸を回転させることによって前記横移動ガイド手段を前後動させる縦移動手段とが配置されている構成であって、
前記縦移動手段は、前記透明板を下降させつつ手前側に前進動させるように傾斜していると共に、前記透明板を後退方向に付勢するカウンターバランス手段を備えており、かつ  前記縦移動手段の駆動軸は、前記透明板と一緒に前後動するように設けられている、
展示装置。
【請求項２】
前記縦移動手段は、手前側が低くて後ろが高くなるように傾斜したガイド筒と、前記ガイド筒に前後摺動自在に嵌まったロッドとを備えて、前記ロッドに、前記横移動ガイド手段を構成する左右長手の固定ガイドレールが取り付けられている一方、
前記駆動軸は前後方向に長い形態であって、その一部に設けた雄ねじ部を前記本体に固定的に設けたナットに螺合させることにより、駆動軸が回転しつつ前後動するようになっており、前記駆動軸と横移動ガイド手段とは、一緒に前後動するように連動部材を介して連結されている、
請求項１に記載した展示装置。
【請求項３】
前記ハンドルは、前記駆動軸と同心の主軸と人が握るグリップとを有するクランク状の形態であって、
前記透明板を前進させきった状態では、前記ハンドルはグリップが真上又は真下に位置した姿勢になって、前記透明板を後退させきった状態では、前記ハンドルは透明板を前進させきった状態での姿勢と反対向きの姿勢になるように設定されている、
請求項１又は２に記載した展示装置。
【請求項４】
内部を陳列空間と成して前面を開口させた本体と、前記本体の開口面を覆う透明板とを有しており、
前記本体の下部に、前記透明板を本体の開口面に沿って左右動可能に支持する横移動ガイド手段と、ハンドルで駆動軸を回転させることによって前記横移動ガイド手段を前後動させる縦移動手段とが配置されている構成であって、
前記縦移動手段の駆動軸は、前記透明板と一緒に前後動するように設けられている一方、
前記透明板は左右に複数枚並設されており、
前記横移動ガイド手段と縦移動手段とは各透明板に対応して複数設けられており、各横移動ガイド手段を縦移動手段で同じ寸法だけ移動させると、透明板が隣り合った横移動ガイド手段に移行可能になっている、
展示装置。
【発明の詳細な説明】
【技術分野】
【０００１】
本願発明は、博物館や美術館のような展示施設に設置される展示装置に関するものであり、透明板（透明扉）の下端部を手前に引出してから左右スライドさせ得るように構成されたタイプを対象にしている。
【背景技術】
【０００２】
博物館や美術館では、大小様々な展示装置が使用されている。展示装置は、展示空間を有する本体と、展示装置の開口部を塞ぐ透明板とを有しており、例えば、間口寸法が数メートル又はそれ以上になる大型の展示装置の場合は、透明板を本体の開口面に沿って左右スライドさせることにより、展示空間を開閉できるようにしている。
【０００３】
透明板は、上下の横移動ガイド部材で左右スライド可能に保持されているが、透明板を閉じた展示状態では、展示空間の調湿のために透明板と本体との間はシール材でシールされているので、上下の横移動ガイド部材が固定的であると、透明板を左右スライドさせることができない。そこで、横移動上下ガイド部材のうち少なくとも下部の横移動ガイド部材を縦移動手段によって前後動可能として、透明板を手前に移動させた状態で左右スライドできるように構成している。
【０００４】
その例が特許文献１に開示されている。この特許文献１において、縦移動手段は左右長手のねじ軸を有しており、カム機構を利用して、ねじ軸の回転によって横移動ガイド部材が前後動するように構成されている。そして、ねじ軸は、通常は電動モータで駆動されるが、停電時やモータ故障時の対策として、手動式のハンドルでねじ軸を回転操作できるようにしている。
【先行技術文献】
【特許文献】
【０００５】
【特許文献１】特開２０１１−６２２６０号公報
【発明の概要】
【発明が解決しようとする課題】
【０００６】
特許文献１において、ねじ軸は回転自在で左右動不能に保持されており、ねじ軸に螺合したスライダ（移動部材）が平面視傾斜姿勢のカム溝に沿って移動することにより、ガイド部材が前後動する。また、ねじ軸は左右長手の姿勢である一方、ハンドルによる回転操作は展示装置の手前から行われており、ハンドルは前後長手の軸心回りに回転するため、ハンドルの回転をねじ軸の回転に変換するための手動駆動手段を本体に設けており、手動駆動手段には、ハンドルの先端部を挿脱できる挿込口を設けている。
【０００７】
この特許文献１では、ねじ軸は回転自在で移動不能に保持されているので、手動駆動手段も本体に固定的に設けている。従って、ハンドルの回転操作によって透明板と手動駆動手段との間隔は変化することになり、透明板を手前に移動させると、透明板と動駆動手段との間隔は広がっていく。
【０００８】
このため、透明板を手前に移動させてからハンドルを取り外して各種の作業を行い、ハンドルを再び手動駆動手段の挿込口に差し込むにおいて、挿込口が奥まった状態になっているため、挿込口の位置の確認が面倒になるという問題があった。
【０００９】
本願発明は、このような現状を改善すべく成されたものである。
【課題を解決するための手段】
【００１０】
本願発明は様々な構成を備えている。このうち請求項１の発明は、
「内部を陳列空間と成して前面を開口させた本体と、前記本体の開口面を覆う透明板とを有しており、
前記本体の下部に、前記透明板を本体の開口面に沿って左右動可能に支持する横移動ガイド手段と、前記透明板の手前側からハンドルで駆動軸を回転させることによって前記横移動ガイド手段を前後動させる縦移動手段とが配置されている」
という構成において、
「前記縦移動手段は、前記透明板を下降させつつ手前側に前進動させるように傾斜していると共に、前記透明板を後退方向に付勢するカウンターバランス手段を備えており、かつ  前記縦移動手段の駆動軸は、前記透明板と一緒に前後動するように設けられている」 という特徴を備えている。なお、駆動軸は、中空の駆動筒も含む概念である。
【００１１】
請求項２の発明は、請求項１において、
「前記縦移動手段は、手前側が低くて後ろが高くなるように傾斜したガイド筒と、前記ガイド筒に前後摺動自在に嵌まったロッドとを備えて、前記ロッドに、前記横移動ガイド手段を構成する左右長手の固定ガイドレールが取り付けられている一方、
前記駆動軸は前後方向に長い形態であって、その一部に設けた雄ねじ部を前記本体に固定的に設けたナットに螺合させることにより、駆動軸が回転しつつ前後動するようになっており、前記駆動軸と横移動ガイド手段とは、一緒に前後動するように連動部材を介して連結されている」
という構成になっている。
【００１２】
請求項３の発明では、請求項１又は２において、
「前記ハンドルは、前記駆動軸と同心の主軸と人が握るグリップとを有するクランク状の形態であって、
前記透明板を前進させきった状態では、前記ハンドルはグリップが真上又は真下に位置した姿勢になって、前記透明板を後退させきった状態では、前記ハンドルは透明板を前進させきった状態での姿勢と反対向きの姿勢になるように設定されている」
という構成になっている。
【００１３】
請求項４の発明は、
「内部を陳列空間と成して前面を開口させた本体と、前記本体の開口面を覆う透明板とを有しており、
前記本体の下部に、前記透明板を本体の開口面に沿って左右動可能に支持する横移動ガイド手段と、ハンドルで駆動軸を回転させることによって前記横移動ガイド手段を前後動させる縦移動手段とが配置されている」
という構成において、
「前記縦移動手段の駆動軸は、前記透明板と一緒に前後動するように設けられている一方、
前記透明板は左右に複数枚並設されており、
前記横移動ガイド手段と縦移動手段とは各透明板に対応して複数設けられており、各横移動ガイド手段を縦移動手段で同じ寸法だけ移動させると、透明板が隣り合った横移動ガイド手段に移行可能になっている」
という特徴を備えている。
【００１４】
本願発明において、展示装置は、壁際に設置する場合と、室の中に島状に配置する場合とがある。壁際に設置する場合は、外周のうち１つの面のみに透明板が配置されている場合が多いであろうし、島状に配置する場合は、外周の全体を透明板で構成することが多いであろう。複数の面に透明板を設けている場合は、請求項に記載した「前後」「左右」は、各面ごとに存在する。つまり、各開口部を基準にして、「前後」の方向は奥行き方向で、「左右」の方向は各間口方向になる。
【００１５】
また、駆動軸が複数の部材で構成されている場合も有り得るが、この場合は、少なくともハンドルと係合する部分（接続部）が透明板と一緒に前後動したらよい。更に、本願発明は、透明板の前後動を常に手動で行う場合と、電動式の補助手段としてハンドルを使用する場合との両方を含んでいる。
【発明の効果】
【００１６】
本願発明では、駆動軸のうち少なくともハンドルとの接続部が透明板と一緒に前後動するため、透明板を前進させた状態で、ハンドルを抜き外してから再びハンドルを付け直すにおいて、駆動軸の接続部の位置や姿勢の確認が容易であって、ハンドルの付け直しを素早く行うことができる。このため、作業性がよい。
また、縦移動手段は手前に向けて低くなるように傾斜していることにより、透明板は下降動しつつ手前に移動するため、透明板スライド操作は、上端部でのこじれを無くした状態で軽快に行うことができる。そして、縦移動手段が傾斜していると、透明板は上昇させながら後退動させなければならないが、本願発明では、カウンターバランス手段を設けているため、透明板の後退操作を軽い力で行うことができる。
【００１７】
駆動軸の回転を下ガイド手段の動きに変換する機構は様々な態様が有り得るが、請求項２のように、駆動軸に雄ねじ部を形成して、駆動軸の前後動によって下ガイド部材を前後動させる構成を採用すると、連動構造が単純化して構造を簡単化することができる。また、ギア類やカム類は不要であるため、メカロスもなくて伝動効率もよい。
【００１８】
請求項３の構成を採用すると、後退位置の透明板を前進させるときと、前進させた透明板を後退させるときとの両方において、ハンドルの姿勢が上向きか下向きに定まっているため、姿勢を予め把握しておくことにより、駆動軸へのハンドルの嵌め込みを素早く行うことができる。
【００１９】
しかも、透明板を前進させる場合と後退させる場合とで、ハンドルの姿勢が上下逆向きになっているため、透明板を前進させる場合と後退させる場合とでハンドルをどちらの方向に回転させるべきかも、ハンドルの姿勢から直ちに把握できる。従って、ハンドルを駆動軸に嵌め込んでから回転させる動きをスムースに行い得る。
【００２０】
更に、ハンドルを回転操作して透明板を前後動させるにおいて、ハンドルの姿勢から透明板の前進位置又は後退位置を確認できるため、透明板の前後動をストロークの途中で止めてしまうような不具合を防止できる利点もある。更に、ハンドルを駆動軸に付けたままにしておく、ハンドルの姿勢から透明板がどの状態にあるかを即座に視認できるという利点もある。
【００２１】
さて、この種の展示装置は、間口寸法が例えば１０ｍ前後かそれ以上に及ぶものもあるが、１枚の透明板の大きさには限度があるため、ある程度以上に大型の展示装置では、複数枚の透明板を左右に並設している。この場合、展示装置全体として１つの下ガイド手段を設けただけであると、左右に長い下ガイド手段を全体に亙って均等に移動させねばならないため、移動に大きな手間がかかる。
【００２２】
これに対して本願請求項４の構成を採用すると、各下ガイド手段を同じ量だけ移動させることにより、複数の下ガイド手段を一連に連続した状態にできるため、移動手段の操作の容易性を確保しつつ、透明板を隣り合った下ガイド手段にスライドさせて、陳列物の出し入れ等の作業を行うことができる。
【図面の簡単な説明】
【００２３】
【図１】第１実施形態の外観の概略斜視図である。
【図２】図１及び図３のII-II 視断面図である。
【図３】下ガイド手段及び移動手段を示す平面図である。
【図４】図３のうち矢印IVで示す部分の拡大図である（透明板も表示している。）。
【図５】図４の V-V視断面図である。
【図６】（Ａ）は移動手段の一部を示す分離斜視図、（Ｂ）は移動手段による動きを示す図、（Ｃ）は後退状態での操作軸の正面図、（Ｂ）は前進状態での操作軸の正面図である。
【図７】（Ａ）図４の VII-VII視断面図であって操作レバーを表示したもの、（Ｂ）は上部の側断面図である。
【図８】透明板を前進させきった状態を示す図で、（Ａ）は下部の側断面部、（Ｂ）は上端部の要部側断面図である。
【図９】参考例を示す図である。
【発明を実施するための形態】
【００２４】
(1).第１実施形態の概略
次に、本願発明の実施形態を図面に基づいて説明する。まず、図１〜図８に示す第１実施形態を説明する。図１に示すように、展示装置は、左右に長い直方体状の形態であり、前向きに開口した左右横長の本体１と、本体１の開口部を塞ぐべく左右に一列に並べた３枚の透明板（透明扉）２とを有している。
【００２５】
図１には、身長が１７０ｃｍ程度の人（一般成人）３を模式的に表示している。この人３との対比から理解できるように、展示装置の高さは人の身長よりも相当に高い。透明板２の大きさはユーザーの仕様に基づいて定められるが、本実施形態の場合、左右幅（間口寸法）は３ｍ程度で高さは２〜３ｍ程度に設定している。展示装置の全体の奥行き寸法は１ｍ程度になっている。
【００２６】
本体１は、展示空間４の下方に位置した下部（基礎部）５、展示空間４の後ろに位置した背部６、展示空間４の左右側方に位置したサイド板７、展示空間４の上に位置した天板８とを有している。つまり、下部５と背部６とサイド板７と天板８とによって、前向きに開口した展示空間４が形成されており、展示空間４の前面の開口部が透明板２で塞がれている。各透明板２は、後述する下ガイド手段により、左右方向にスライドさせることができる。
【００２７】
敢えて述べるまでもないが、透明板２は、透明度と強度とに優れた特殊ガラスから成っている。サイド板７と天板８もガラス板を使用しているが、ユーザーが求める仕様によっては、これらのうち一方又は両方は、金属板などの不透明板を使用することも有り得る。天板８は１枚ものを使用しているが、左右に並んだ複数枚で構成することも可能である。
【００２８】
例えば図２，５に示すように、本体１の下部５は、展示空間４の下面を構成する底板９を有しており、底板９は、左右横長のフロント支持フレーム１０及びセンター支持フレーム１１並びにリア支持フレーム１２と、隣り合った支持フレーム１０，１１，１２の間に位置した前後長手の縦桟１３の群とで支持されている。従って、フロント支持フレーム１０とセンター支持フレーム１１とリア支持フレーム１２と縦桟１３の群とにより、平面視井桁状の支持枠体が構成されている。
【００２９】
下部５のうちの下層部は、横長ベースフレーム１１′と、これら横長ベースフレーム１１の上に重ねて固定された縦長ベースフレーム１3 ′の群とを有しており、横長ベースフレーム１１′と縦長ベースフレーム１3 ′の群とにより、井桁状のベース枠体が構成されている。
【００３０】
例えば図７（Ａ）で明瞭に理解できるように、フロント支持フレーム１０は、底板９が載る上水平板と、最前列に位置した横長ベースフレーム１１の上面に重ねて固定された下水平板と、上下水平片を繋ぐ起立板とをしており、前向き開口コ字形の形態を成している。図５では、センター支持フレーム１１が、柱（スペーサ）１４を介して縦長ベースフレーム１３′で支持されている状態を示している。図２に示すリア支持フレーム１２も、支柱１４の群を介して縦長ベースフレーム１２で支持されている。
【００３１】
(2).横移動ガイド手段・縦移動手段
例えば図５に示すように、フロント支持フレーム１０の起立板に、縦移動手段の一部を構成するガイド筒１５が貫通しており、ガイド筒１５の先端に設けたフランジ１６と、スペーサ１７と押さえ板１８とが、ボルト１９ａ及びナット１９ｂによって、フロント支持フレーム１０に固定（共締め）されている。
【００３２】
ガイド筒１５にはロッド２１が摺動自在に嵌まっており、ロッド２１の前端に、固定ガイドレール２２が固定されており、固定ガイドレール２２に、可動ガイド体２３が左右スライド自在に嵌まっている。可動ガイド体２３には、透明板２の下端部が取付けられている。固定ガイドレール２２と可動ガイド体２３とは、請求項に記載した横移動ガイド手段の一例である。本実施形態では、固定ガイドレール２２は、１枚の透明板２に対応して１本設けている。すなわち、固定ガイドレール２２を有する横移動下ガイド手段（及び縦移動手段）と１枚の透明板２とが、１つのユニットを構成している。
【００３３】
例えば図５に示すように、固定ガイドレール２２は、上下の水平片を有する前向き開口コ字形の外枠２５を有しており、外枠２５の内部にスライダ受け２６が固定されている。他方、可動ガイド体２３は、上下の水平片を有する後ろ向き開口コ字形の外枠２７を有しており、外枠２７の内部に、スライダ受け２６に嵌合するスライダ２８を固定している。
【００３４】
スライダ受け２６とスライダ２８とは、それぞれ摩擦係数が小さい樹脂からなっており、スライダ受け２６は、上下にくびれ溝を有するボス形状で、スライダ２８は、スライダ受け２６に外側から嵌まる溝状であり、スライダ受け２６のくびれ溝に嵌まる内向き凸条を有している。従って、スライダ２８は、スライダ受け２６に対して抜け不能に保持されている。なお、透明板２を左右スライドさせる手段としては、実施形態のようなスライダ方式に代えて、Ｃ字形の固定ガイドレールに可動ローラ（コロ）の群を嵌め入れた方式なども採用できる。また、固定ガイドレール２２の「固定」は、左右移動しないという意味で使用しており、前後方向等に動かないという意味は持っていない。
【００３５】
ガイド筒１５は、手前側が低くて後ろが高くなるように、水平に対して若干の角度θ１だけ傾斜している。そこで、スペーサ１７は、上から下に向けて厚さが小さくなって、押さえ板１８は上から下に向けて厚さが大きくなっている。
【００３６】
一方、ロッド２１の先端に固定ガイドレール２２を取り付けるに当たっては、ロッド２１の先端にフランジ板２９を固定して、フランジ板２９とクランプ板３０とにより、固定ガイドレール２２における外枠２５の起立部を挟み固定しているが、固定ガイドレール２２及び可動ガイド体２３の外枠２５，２７の起立部は鉛直姿勢になっているので、フランジ板２９は上から下に向けて厚さを大きくして、クランプ板３０は、上から下に向けて厚さを小さくしている。固定ガイドレール２２及び可動ガイド体２３は、その起立部を鉛直姿勢にしたままで、前後動しつつ昇降する。
【００３７】
可動ガイド体２３の外枠２６は２枚の鋼板を重ねて構成されており、下端には前向き水平片２６ａを有しており、透明板２は、シール材３１を介して前向き水平片２６ａに支持・接着されている。また、透明板２の下端部は、可動ガイド体２３における外枠２６の前面に接着剤３２にて接着されている。更に、透明板２の下端部には、本体１の底板９と同じ程度の高さの化粧板３３が接着されている。
【００３８】
固定ガイドレール２２の外枠２５及びスライダ受け２６は、透明板２の左右全長に亙って延びている。他方、可動ガイド体２３については、外枠２７は透明板２の左右全長に亙って延びているが、図３に示すように、スライダ２８は、左右方向に飛び飛びで配置している（外枠２７の左右両端部には、必ずスライダ２８を設けている。）。スライダ２８を左右全長にわたって設けることも可能であるが、実施形態のように飛び飛びで配置すると、スライダ受け２６との間のこじれを抑制できる利点がある。
【００３９】
図３に示すように、ガイド筒１５は、左右方向に飛び飛びで複数本（５本）配置しており、各ガイド筒１５に嵌まっている各ロッド２１の後端は、例えば図５に示す左右横長でＬ形の１本の連結フレーム３４の起立部に、ボルト３５で固定されている。更に、図３に示すように、１枚の透明板２に対応した個所に前後長手のリニアガイド３６が左右に一対配置されており、例えば図５に示すように、リニアガイド３６に前後動自在に装着されたスライダ３７に、補助フレーム３８を介して固定されている。補助フレーム３８は、連結フレーム３４の左右全長にわたって延びている。
【００４０】
従って、各ロッド２１は、リニアガイド３６にガイドされて一斉に前後動し、これに伴って、固定ガイドレール２２と可動ガイド体２３とが一緒に前後動し、固定ガイドレール２２が前進した状態で、可動ガイド体２３を左右動させることができる。すなわち、透明板２の下端部は、各ロッド２１の前後動に連動して前後動し、固定ガイドレール２２を前進させた状態で、透明板２を左右スライドさせることができる。例えば図５に示すように、リニアガイド３６は、横長ベースフレーム１１に固定された受け台３８′に固定されている。
【００４１】
フロント支持フレーム１０の前端には、透明板２を後退させきった状態で、当該透明板２との間をシールする下シール材３９が装着されている。下シール材３９は軟質材から成っていて、例えば中空構造に形成されて変形が容易になっており、この下シール材３９により、展示空間４の下部はしっかりとシールされている。なお、下シール材３９は、透明板２に設けてもよいし、透明板２とフロント支持フレーム１０（或いは底板９の前端）との両方に設けてもよい。
【００４２】
(3).駆動機構
図３及び図５から理解できるように、１つのユニットにおいて、左右中間部に位置したガイド筒１５の右（又は左）隣に、透明板２手前側からハンドル４０で回転操作される前後長手の駆動軸４２が配置されている。ハンドル４０及び駆動軸４２は請求項に記載した縦移動手段の構成要素であり、駆動軸４２は、フロント支持フレーム１０及び側面視コ字形の軸受部材４３に、回転自在に保持されている。
【００４３】
すなわち、駆動軸４２は、フロント支持フレーム１０の起立部及び軸受部材４３の前起立部４３ａに対しては、フランジ付きブッシュ４４を介して回転自在で前後摺動自在に保持されており、軸受部材４３の後ろ起立部４３ｂに対しては、ナット４５を介して回転自在に保持されている。従って、駆動軸４２には、ナット４５に螺合する雄ねじ部４２ａが形成されている。ナット４５及び雄ねじ部４２ａのねじは、台形ねじを採用している。
【００４４】
なお、図５では、駆動軸４２の個所とガイド筒１５との両方の個所の断面を表示している（両者は左右に分離しているので、本来は同じ断面には表れない。）。駆動軸４２をねじ方式にする場合は、ねじとしては三角ねじも採用可能であるが、安定性の点からは、実施形態のような台形ねじが好ましい。
【００４５】
図５に示すように、駆動軸４２の後端は、補助フレーム３８から垂下したジョイント４６に、回転自在で前後動不能に固定されている。従って、駆動軸４２は回転しつつ前後動し、これに伴って、補助フレーム３８及び連結フレーム３４を介して各ガイド筒１５の各ロッド２１が前後スライドし、これにより、固定ガイドレール２２が前後動する。また、図６（Ｂ）に明示するように、駆動軸４２は、回転しつつ、固定ガイドレール２２や連結フレーム３４と一緒に前後動する。ジョイント４６や補助フレーム３８、ロッド２１などは、請求項に記載した連動部材を構成している。
【００４６】
図６（Ａ）に明示するように、駆動軸４２の前端には、ハンドル４０との係合手段の一例として半円状の切り欠き４７を形成している。他方、ハンドル４０は、互いに逆方向に向いた前後長手のハンドルと主軸４０ａとグリップとを板で繋いだクランク形状であり、主軸４０ａに、駆動軸４２の前端部が嵌まる嵌合穴４８を形成し、嵌合穴４８に、駆動軸４２の切り欠き４７と噛み合う半円状の係合穴４９を形成している。なお、図６（Ｃ）（Ｄ）では、切り欠き４７でない部分の端面に平行斜線を付している。
【００４７】
図６（Ｂ）に示すように、駆動軸４２を回転操作すると、固定ガイドレール２２は一定のストロークＳで前後動するが、図６（Ｂ）（Ｃ）（Ｄ）に示すように、固定ガイドレール２２が後退しきった状態では、駆動軸４２の切り欠き４７は真下を向いて（図７（Ａ）も参照）、固定ガイドレール２２が前進しきった状態では、駆動軸４２の切り欠き４７は真上を向くように設定している（図８も参照）。従って、透明板２を前進させたり後退させたりするに際して、ハンドル４０をどの姿勢で駆動軸４２に嵌め入れたらよいかの把握が容易であり、一々身体をかがめて駆動軸４２の切り欠き４７の姿勢を視認するような必要はない。
【００４８】
図５，７に示すように、下部の前面のうち固定ガイドレール２２の下方の部分には化粧用の巾木４９を装着しているが、駆動軸４２を設けて部位だけ巾木４９を上向きに切り欠いて、この切り欠き部５０に、下向き回動式の扉５１を取付けている。図７（Ａ），８（Ａ）に示すように、扉５１を手前に倒すと（開くと）、ハンドル４０で駆動軸４２を回転操作できる。扉５１には錠を設けている。
【００４９】
ガイド筒１５は手前に向けて低くなるように傾斜しているので、何等の措置を施さないと、透明板２の重量により、ロッド２１は下降し勝手になっている。すると、透明板２を後退させるにおいて、透明板２の重量に抗して後退させなければならず、作業者の負担が増えることになる。
【００５０】
そこで、本実施形態では、各ガイド筒１５には、カウンターバランス手段の例として、ロッド２１を後退方向に付勢するコイル方式の定荷重ばね（図示せず）を内蔵している。各定荷重ばねのばね力の総和は、透明板２の重量よりもわずかに小さい程度に設定している。従って、台形ねじのピッチを過度に小さくすることなく、透明板２の後退（上昇）を軽い力で行うことができる。その結果、透明板２の前後動操作を、軽い力で迅速に行える。下部５には、展示空間４の湿度を一定にする調湿装置を設けているが、本願発明との関連はないので、説明は省略する。
【００５１】
(4).上部の構造
図７（Ｂ）及び図８（Ｂ）に示すように、透明板２の上端部には、上ガイドレール５２における溝状部５５の前側板５３に当接するシールガイド部材６０が、接着剤で接着されている。シールガイド部材６０は樹脂製であって、透明板２の上端面と前面とに重なるＬ形の形態であり、透明板２の前面に重なった前板に、上ガイドレール５２における溝状部５５の前側板５３に内側から当接する案内部６１を一体に形成している。透明板２が上昇しきった状態では、案内部６１の下端が、上ガイドレール５２の前側板５３に内側から当接することにより、透明板２の上端部が上シール材５９に押さえつけられた状態が保持されている。
【００５２】
案内部６１は、上に行くに従って透明板２に近くなる傾斜面６１ａを有している。図５を参照して既に述べたように、透明板２の下端部は可動ガイド体２３における外枠２６の前面に接着剤で固定されているが、外枠２６の前面は鉛直姿勢なので、透明板２は、鉛直姿勢を保持しながら前向き動及び下降動する傾向を呈する。
【００５３】
従って、透明板２を手前に移動させると、透明板２は、まず、シールガイド部材６１の傾斜面６１ａの案内作用により、手前に移動しながら下降して、透明板２と上シール材５９との当接が解除され、次いで、透明板２が下降しきると、シールガイド部材６０の案内部６１が前側板５３から下方に外れて、シールガイド部材６０の前板が案内部６１の上の等厚部の個所において、上ガイドレール５２の前側板５３に当接する。
【００５４】
従って、透明板２は、鉛直姿勢から後傾姿勢に姿勢を変えながら下降していき、傾斜姿勢で左右スライドする。この状態では、上シール材５９には当接していないので、上シール材５９との摩擦は皆無であり、従って、軽い力で左右スライドさせることができる。また、サイド板７の前面にはサイドシール材６２が張られており、透明板２が上昇しきった状態では、サイドシール材６２によってサイド板７と透明板２との間のシールが行われているが、透明板２が前進するとサイドシール材６２との間の摩擦も皆無になるので、サイドシール材６２が透明板２の左右スライドに対する抵抗になることはない。
【００５５】
透明板２を手前に移動させると、透明板２の下端部を接着している接着剤３２の弾性力により、透明板２の上端部は、シールガイド部材６０を介して上ガイドレール５２の前側板５３に当接しており、シールガイド部材６０が上ガイドレール５２の前側板５３を摺接しながら透明板２の左右スライドが行われる。そこで、シールガイド部材６０は摩擦係数が小さい樹脂で製造するのが好ましい。透明板２の下降動に際しての傾斜は上ガイドレール５２で規制されるので、透明板２の最大傾斜角度は、ガイド筒１５の傾斜角度θ１よりも小さくなっている。
【００５６】
(5).まとめ
既に説明したように、本願実施形態では、各透明板２の個所においてハンドル４０を回転操作することにより、透明板２を前進させつつ下降させて、シール材３９，７４，７７との当接を解除した状態にて左右スライドさせることができる。従って、透明板２の左右スライドを軽い力で行えると共に、シール材３９，７４，７７の磨滅や剥がれなども防止して、シール性も高い状態に維持できる。
【００５７】
そして、透明板２に対して上シール材７４が当接した状態で透明板２を左右スライドさせようとすると、摩擦抵抗がモーメントとして作用するため、透明板２のスライドに対してこじれが生じて（上端がつかえた状態になって）非常にスライドさせにくいが、本実施形態では、透明板２の上端部は、下降動しつつ上シール材７４から離反するため、透明板２のスライド操作は、上端部でのこじれを無くした状態で軽快に行うことができる。ガイド案内部材７６の存在によって高いシール性を確保できることは、既述したとおりである。
【００５８】
また、本実施形態では、横移動ガイド手段と縦移動手段とは各透明板２に対応してユニット化しているので、１本のハンドル４０の回転操作のみでも、各透明板２を軽快に前後動及び昇降させることができる。各固定ガイドレール２２を同じ量だけ前進させると、透明板２は、固定ガイドレール２２に跨がらせた状態でスライドさせることができる。
【００５９】
既述のとおり、本実施形態では、透明板２を後退させきった状態では、駆動軸４２の切り欠き４７は下向きで、透明板２を前進させきった状態では、駆動軸４２の切り欠き４７は上向きになるように設定しているので、透明板２を前進・下降させるに際しても、透明板２を後退・上昇させるに際しても、ハンドル４０の姿勢が決まっている。このため、一々身体をかがめて駆動軸４２を覗き込むような必要はなくて、指先で駆動軸４２の前端部の位置を確かめてから、ハンドル４０を上向きの姿勢にして嵌め込むだけでよいため、駆動軸４２に対するハンドル４０の嵌め込みを容易に行える。
【００６０】
固定ガイドレール２２を後退させきると、当然にハンドル４０は駆動軸４２から抜き外すが、固定ガイドレール２２を前進させきった状態では、ハンドル４０は駆動軸４２に取り付けたままにしておいて展示物の入れ換えなどを行う場合もあると云える。その場合、実施形態のように、固定ガイドレール２２を前進させきった状態と後退させきった状態とで、ハンドルの姿勢が上下逆向きになるように設定しておくと、ハンドル４０の姿勢から透明板２を前進させきっている状態を視認できるため、作業者は透明板２の状態を容易に把握できる利点がある。
【００６１】
更に、駆動軸４２は固定ガイドレール２２と一緒に前後動するため、透明板２の前面と駆動軸４２の前端との相対位置は不変であり、駆動軸４２が透明板２の後ろに大きく隠れてしまう現象は生じない。従って、いったん透明板２を前進させてからハンドル４０を抜き取って再度嵌め込むに際して、駆動軸４２の位置を手さぐりで探すような手間は不要であり、ハンドル４０の嵌め込みを容易に行える。また、ハンドル４０の主軸４０ａの長さを短くできる利点もある。
【００６２】
(6).参考例・その他
次に、図９に示す参考例を説明する。第１実施形態と同じ機能を有する部材には同じ符号を付しており、必要がない限り説明は省略している。この参考例では、まず、固定ガイドレール２２は断面Ｃ形になっており、透明板２が固定された可動枠６５に適宜間隔で取り付けたコロ６６が固定ガイドレール２２の内部に転動自在に嵌め入れられている。
【００６３】
固定ガイドレール２２の背面には、前後長手のガイド軸６７の前端が固定されている。ガイド軸６７は左右に複数本配置されており、それぞれ、前後の受け部材６８によって、前後スライド自在に保持されている。そして、１本のガイド軸６７に垂下したジョイント部材６９に、前後長手に配置したねじ軸７０が螺合している。ねじ軸７０は、軸受部材４３の前後側板４３ａに、回転自在で前後動不能に保持されている。従って、ねじ軸７０が回転すると、固定ガイドレール２２が前後動する。
【００６４】
ねじ軸７０は、軸受部材４３の手前に突出したスプライン軸７１を有しており、スプライン軸７１に、駆動軸４２のスプライン筒部７２が摺動自在に嵌まっている。駆動軸４２は、固定ガイドレール２２から垂下した軸受板７３に嵌まる円形部を有しており、この円形部に設けたスナップリング７４とフランジ７５とで軸受板７３を前後から挟むことにより、駆動軸４２を回転自在で前後動不能に保持されている。そして、駆動軸４２の前端部に、角棒状の係合部７６を設けている。
【００６５】
他方、ハンドル４０の主軸４０ａには、駆動軸４２の係合部７６に嵌合する係合穴７７を形成している。駆動軸４０の係合部７７は、巾木４９に設けた穴７８から僅かに露出している。スナップリング７４を使用せずに、駆動軸４２をばねで手前に付勢することも可能である。
【００６６】
この参考例では、駆動軸４２は固定ガイドレール２２と一緒に前後動する。そして、駆動軸４２のストロークの全範囲において、スプライン筒部７２とスプライン軸７１とが嵌合しているため、ねじ軸７０の回転に支障はない。この実施形態のように、本願発明は、ねじ軸７０が回転のみするタイプにも適用できる。ねじ軸７０にスプライン筒７２を設けて、ハンドルに４０にスプライン軸７１を形成することも可能である。
【００６７】
前後移動する駆動軸（或いは駆動筒）と前後移動しないねじ軸７０とを連動させる手段としては、参考例のようなスプライン軸７１とスプライン筒７２との組み合わせに代えて、角形軸と角形筒との組み合わせや、キーとキー溝との組あせなどを採用できる。ハンドルの主軸に角形等の係合ボスを形成して、駆動軸の前端に係合穴を形成することも可能である。
【００６８】
本願発明は、他にも様々に具体化できる。例えば、縦移動手段は、電動モータを用いた動力式と手動式とを併用することも可能である。透明板を前後動及び昇降させる場合、前後動と昇降とを別々の動きにしてもよい。駆動軸の回転を透明板の前後動に変換する伝動機構は、歯車を使用するなど、様々な態様を採用できる。
【００６９】
回転のみするねじ軸と前後動する駆動軸との連動手段としては、例えばユニバーサルジョイントを使用することも可能である。この場合は、ねじ軸と駆動軸との高さを任意に設定できる利点がある。透明板は実施形態のように上下動させる必然性はないのであり、少なくとも下端部が前後動したらよい。
【００７０】
本願発明は、展示装置に具体化できる。従って、産業上利用できる。
【符号の説明】
【００７１】
１  本体
２  透明板
４  展示空間
５  展示装置の下部
６  背部
７  サイド板
８  天板
１５  縦移動手段を構成するガイド筒
２１  縦移動手段を構成するロッド
２２  横移動ガイド手段を構成する固定ガイドレール
２３  横移動ガイド手段を構成する可動ガイド体
４０  ハンドル
４０ａ  主軸
４２  縦移動手段を構成する駆動軸
４７  係合手段（連結部）を構成する切り欠き
４２ａ  雄ねじ部
４３  軸受部材
４４  ナット
４８  嵌合穴
４９  係合穴（連結部）
【図１】
0006717654.tif 000002
【図２】
0006717654.tif 000003
【図３】
0006717654.tif 000004
【図４】
0006717654.tif 000005
【図５】
0006717654.tif 000006
【図６】
0006717654.tif 000007
【図７】
0006717654.tif 000008
【図８】
0006717654.tif 000009
【図９】
0006717654.tif 000010